(57)【特許請求の範囲】
【請求項１】
室内天井から懸下される取付架体１と、前記取付架体１の底板に、視聴者側から見て奥方向へ円弧状にへこむ凹み部を有し、前記底板の上面に前記凹み部と平行に湾曲した円弧状のガイドシャフト１５を取付、前記ガイドシャフト１５にテレビ本体３を取付たテレビ取付板２を有し、前記テレビ取付板２に部分的にベルト押さえ４にて固定したタイミングベルト１７と、前記底板の下面の前記凹み部の右手前側に、前記タイミングベルト１７を引っ張り移動する為の駆動モーター２０を取付て、吊り棒取付具２４，２５及び吊り棒２６にて前記底板の凹み部と、前記ガイドシャフト１５の凹みと、前記テレビ本体３が視聴者の方向に向くように、吊り下げる角度及び位置関係を調整して吊り下げることで、前記駆動モーター２０が正転逆転の駆動をすることにより、前記テレビ取付板２が前記タイミングベルト１７で引っ張られて前記テレビ取付板２が前記ガイドシャフト１５にガイドされて、湾曲円弧状に移動し、前記テレビ本体３が常に視聴者の方向を向くことを特徴とするテレビ取付板移動装置。
【請求項２】
室内天井から懸下される取付架体３０１と、前記取付架体３０１の底板に、視聴者側から見て奥方向へ円弧状にへこむ凹み部を有し、前記底板の上面に前記凹み部と平行に湾曲した円弧状のガイドシャフト３１５を取付、前記ガイドシャフト３１５にテレビ本体３０３を取付たテレビ取付板３０２を有し、前記テレビ取付板３０２に部分的に吊り紐押さえ板３０４にて固定した、前記テレビ取付板３０２を引っ張り移動する為の吊り紐３１７、３１８を前記取付架体３０１を視聴者側から見て手前側の両端に右側用、左側用を取付て、吊り棒取付具３２２、３２３及び吊り棒３２４にて、前記底板の凹み部と、前記ガイドシャフト３１５の凹みと、前記テレビ本体３０３が視聴者の方向に向くように、吊り下る角度及び位置関係を調整して吊り下げることで、前記吊り紐３１７，３１８を左右にそれぞれ引くことにより、前記テレビ取付板３０２は、前記吊り紐３１７，３１８にで引っ張られて当該テレビ取付板３０２が湾曲した前記円弧状ガイドシャフト３１５にガイドされて湾曲円弧状に左右移動可能となり、テレビ本体３０３が前記吊り紐３１７，３１８を左側に引くと左側に、右側を引くと右側へそれぞれに手動にて湾曲円弧状に左右移動するが、吊り紐３１７，３１８の引き具合で任意の位置を決められ、前記テレビ本体３０３が常に視聴者の方向を向くことを特徴とするテレビ取付板移動装置。
【発明の詳細な説明】
【技術分野】
【０００１】      本発明は、一般家庭や病院等で使用される液晶テレビなどのテレビ取付台移動装置の利便性の改良に関する。
【背景技術】
【０００２】      従来は、一般家庭や病院等で寝たままテレビを見る場合、左方向又は右方向のどちらかで固定された位置に設置された置き台に設置された状態でテレビを見ていたため、一方向しか見れない。上を向いたり、反対側に寝返りを打っても見れない。また縦のものを横で見ていてテレビを大変見ずらい面があって、見ていられない時もある。特に老人や病人の場合、床擦れを悪化させたり、一定方向では体や頭が疲れて痛くなることがあった。【０００３】      下記特許文献１に記載のテレビ移動装置は、バス車両の天井の内に、本体枠１１と、滑車付移動台１３と、駆動ワイヤ１６と、駆動車２４と、モーター２３と、手動駆動手段と、クラッチ２１を備えたものとしている【０００４】      このテレビ移動装置によれば、モーターと手動とを切り替えてバス社内で天井に取り付けたテレビを本体枠内で左右に直線状の移動させる様にしている。【０００５】      下記特許文献２に記載のテレビ支持装置は、スタンド型の多関節の方向自在装置を有し、主スタンド３と副スタンド４からなる伸縮自在スタンドの先端に自在関節５を備え、その自在関節の先に主アーム６と副アーム７からなる伸縮自在アームの先端に自在関節Ａを備えたテレビ支持装置としている。【０００６】      このテレビ支持装置によれば、小型軽量の液晶型テレビを自在にセットできる機構により、どの様な状態でも好きな角度や方向を選び最適に視聴できる様にしている。
【先行技術文献】
【特許文献】
【０００７】
【特許文献１】実開平１−７４６８２号公報
【特許文献２】特開２００６−１２９４０９号公報
【発明の概要】
【発明が解決しようとする課題】
【０００８】      しかしながら前記特許文献１は、バス社内の天井部に本体枠１１を設置するため、場所に制限があり、また、バスから眺める車窓からの眺めに配慮して可動領域が乗客の視界を遮らないようにすることで、左右方向に直線状のみの移動の為に視野角度が固定で限られていて、個々の乗客の見たい角度、見たい方向の自由度がない。【０００９】      また、前記特許文献２は、スタンド型伸縮自在副アーム７の先端の支持装置にテレビ１をセットするため、小型軽量テレビの制約があり、一般家庭や病院等で寝たままテレビ１を見る場合、その寝た状態のほぼ真上を伸縮副アーム７先端についたテレビ１が主スタンド３を支点として首振り移動するために視野角度に制限がある、また首振りした状態でテレビ１の上下方向の角度調整した場合も同じく視野角度に問題が発生する。更にスタンド型の場合は重量による倒れの危険性、装置の壊れの恐れにも問題がある。また病院では医師の診断、治療時に邪魔になる。
【課題を解決するための手段】
【００１０】      以上の課題を解決するために、第一の発明は天井から懸下された取付架体１にテレビ取付板２がガイドシャフト上１５を円弧状に左右自在に移動可能となるようにガイドシャフト用ローラー１３が設けてある。また当該テレビ取付板を駆動させる駆動モーター２０とタイミングベルトベルト１７による駆動伝達手段を備えるテレビ取付板移動装置により、上述の課題を解決するものである。【００１１】      また、第二の発明は、第一の発明と同様に天井から懸下された取付架体１０１にテレビ取付板１０９がガイドレール１０５・１０６／１０２・１０３上を円弧状に自在に移動可能となるようにガイドベアリング１１０・１１４（各２個）を設けて、且つ、当該ガイドレール及び当該ガイドベアリングは上下、両面に設けてある。また、当該テレビ取付板を駆動させる駆動モーター１１１とラック１０４及びピニオン１０７による駆動伝達手段を備えるテレビ取付板移動装置により、上述の課題を解決するものである。【００１２】      また、第三の発明は、同じく天井から懸下された取付架体２０１にテレビ取付板２０３がガイドレール２０２上を直線状で左右に自在に移動可能となるようにガイドベアリング２０４（２個）が設けてあり、且つ架体の手前側、左右両末端に当該テレビ取付板が移動した際にテレビ本体２１１が角度を自動追尾可能な傾斜ガイド板２１６・２１７と、当該テレビ本体の裏面に取り付けられているテレビ傾斜ローラー２１２（２個）及び、テレビ本体の裏面に取り付けられているテレビ定位置戻りスプリング２１３（２個）とを備えている。また、当該テレビ取付板を駆動させる駆動モーター２０６とタイミングベルト２０８による駆動伝達手段を備えるテレビ取付板移動装置により、上述の課題を解決するものである。【００１３】      また、第四の発明はおなじく天井から懸下された取付架体３０１にテレビ取付板３０２がガイドシャフト３１５上を円弧状に左右自在に移動可能となるようにガイドシャフト用ローラー３１３（４個）が設けてある。また、当該テレビ取付板を手動にて駆動させるために吊り紐３１７・３１８、吊り紐ローラー３１６（４個）及び吊り紐補助ローラー３２６（２個）による駆動伝達手段を備えるテレビ取付板移動装置により、上述の課題を解決するものである。
【発明の効果】
【００１４】      本発明によれば、家屋内の天井から懸下されていること及びテレビが円弧状に移動する為に視野角度に制限が無く、常に視聴者の希望する方向に正面を向いている。またスタンド式でないため、上記同様であり、重量による倒れ防止、及び医師の診断、治療を妨げ防止にもなる
。以上の装置により、長時間寝たままの人の床擦れの予防や寝た状態でテレビを見る人の体の痛みの低減、体の疲れを低減をすることができ、これから到来する老齢化社会にも大きく貢献出来る。
【図面の簡単な説明】
【００１５】
【図１】図１は実例１の配置イメージ図である。尚、実例２〜４も配置は同様である。
【図２】図２は本考案のモーターとタイミングベルト駆動伝達手段によりテレビ取付板が円弧状に移動する実施例１を示す平面図である。但し図が大きくて横向き表示が無理の為に左方向に９０度旋回して縦向きに表示してある。
【図３】図３は本考案のモーターとタイミングベルト駆動伝達手段によりテレビ取付板が円弧状に移動する実施例１の平面図、図２を下から見た底面図のＡ−Ａ′断面図である。但し、吊り棒部は断面していない。
【図４】図４は本考案のモーターとラックとピニオン駆動伝達手段によりテレビ取付板が円弧状に移動する実施例２を示す平面図である。但し図が大きくて横向き表示が無理の為に左方向に９０度旋回して縦向きに表示してある。
【図５】図５は本考案のモーターとラックとピニオン駆動伝達手段によりテレビ取付板が円弧状に移動する実施例を示す平面図、図４のＢ矢視図である。
【図６】図６は本考案のモーターとラックとピニオン駆動伝達手段によりテレビ取付板が円弧状に移動する実施例２の平面図、図４のＡ−Ａ′部を断面にして右から見た右側面図である。
【図７】図７は本考案のモーターとラックとピニオン駆動伝達手段によりテレビ取付板が円弧状に移動する実施例２の平面図、図４を下からみた底面図である。但し、ピニオン軸部は部分断面図にしてあり、ベアリング部は見にくいので省略してある。
【図８】図８は本考案のモーターとタイミングベルト駆動伝達手段によりテレビ取付板が直線状に左右移動、傾斜ガイド板によりテレビ本体が自動にて視聴者の方向をむく、またスプリングによりテレビ定位置戻りする実施例３を示す平面図である。但し図が大きくて横向き表示が無理の為に左方向に９０度旋回して縦向きに表示してある。
【図９】図９は本考案のモーターとタイミングベルト駆動伝達手段によりテレビ取付板が直線状に左右移動、傾斜ガイド板によりテレビ本体が自動にて視聴者の方向をむく、またスプリングによりテレビ定位置戻りする実施例３を示す平面図、図８を下から見た底面図のＡ−Ａ′断面図である。但し、吊り棒部は断面していない。
【図１０】図１０は本考案の手動にて吊り紐式駆動伝達手段によるテレビ取付板が手動にて移動する実施例４を示す平面図である。但し図が大きくて横向き表示が無理の為に左方向に９０度旋回して縦向きに表示してある。
【図１１】図１１は本考案の手動にて吊り紐式駆動伝達手段によるテレビ取付板が移動する実施例４の平面図、図１０を下面から見た底面図のＡ−Ａ′断面図である。但し、吊り棒取り付け部は断面図していない。
【図１２】図１２は実例１から実例３の電気的信号の経路を表すフロー図である。
【図１３】図１３は実例１から実例３の電気配線に使用するコントロールボックスの信号構成図である。
【図１４】図１４は特許文献  １実開平１−７４６８２号公報図である。
【図１５】図１５は特許文献  ２特開２００６−１２９４０９号公報図である。
【発明を実施するための形態】
【００１６】    テレビ取付板２・１０９は、天井に懸下された取付架体１・１０１に配設された円弧状のガイドシャフト１５又はガイドレール１０５・１０６に沿ってガイドシャフト用ローラー１３及びガイドベアリング１１０・１１４で取り付けられ、モーター２０・１１１の駆動がタイミングベルト１７又はラック１０４−１ピニオン１０７により伝達されることで、ベッドから見て天井面の左右両壁から前壁に向かって前記テレビ取付板が円弧状に移動可能となり、テレビ本体３・１１２が常に視聴者の方向を向く。
【実施形態１】
【００１７】    以下、添付図面に従って実施例を説明する。図２、図３で１は取付架体である。駆動モーター２０が駆動することで、テレビ取付板２にベルト押さえ４にて固定されているタイミングベルト１７が引っ張られてテレビ取付板２に取付てあるテレビ本体（液晶１４インチ程度）３がガイドシャフト１５にガイドされ円弧状に移動する。尚、テレビ取付板２が円滑に移動する為にガイドシャフト用ローラー１３（４個）、及び取付板２の表面にローラーＡ８、取付板裏面にローラーＢ２２（２ＳＥＴ）が設けて円滑性と耐重量性を考慮してある。また、テレビ取付板２を引張移動させるため及びタイミングベルト１７を円滑に動かす為にローラー（４個）１６と駆動用ローラー（１個）、が設けてある。３１はモーターからの駆動伝達をする駆動軸で２０は駆動するモーターである。
【００１８】    図３で取付架体１は吊り棒取付具２４，２５及び吊り棒２６（４ＳＥＴ）によって天井から吊り下げられている。尚、この吊り棒にて取付架体を取付ける際にテレビ本体の上下方向の角度を調整しながら取付ける。
【００１９】    図１３電気信号構成図のようにテレビの左右方向、円弧状の移動は押しボタンスイッチＡ５０２及び押しボタンスイッチＢ５０３をそれぞれ押すこと（ＯＮ）でテレビ取付板２に取付されたテレビ本体３が左右円弧へ移動をする。尚、移動した際のオーバーランを防ぐためのリミットスイッチ１８，１９を設けてあるため移動オーバーの安全装置の働きをする。尚、自動追尾の場合はリモコン又はオデコに赤外線発光器４０１をつけテレビ取付板２側、又はテレビ本体側に赤外線センサースイッチ４０２、４０３を設置してその信号にて駆動モーター２０を駆動させ視聴者が寝返りしても自動的に視聴者の希望する方向へテレビ取付板２を移動させる。
【００２０】    図１２電気的信号の経路を表すフロー図で追尾機能を使用、不使用の判断をジャッジメントＳＯ  ２する、また追尾機能をした場合の赤外線センサーにて左右方向のどちらへ移動させるかをジャッジメントＳＯ  ３する信号の経路を表すフロー図である。
【実施形態２】
【００２１】  図面４、５、６、７で１０１は取付架体で、直結型駆動用モーター１１１が駆動すると駆動軸１０８に付いているピニオン１０７の回転がラック（円弧状）１０４に伝わるがラック１０４が固定のためピニオン軸１０７がテレビ取付板１０９と同期化してガイドベアリング４個１１０、１１４（表面２個、裏面２個）にて円弧状ガイドレール（表面）１０５，１０６及び円弧状ガイドレール（裏面）１０２，１０３にガイドされテレビ取付板１０９に付いているテレビ本体１１２と一緒に円弧状に移動する。つまりテレビ本体１１２はモーター１１１が直結式により、同期化して円弧状に移動する。
【００２２】  図７で取付架体１０１は実施形態１の図３同様に吊り棒取付具、及び吊り棒によって天井から吊り下げられている。
【００２３】  図１３電気信号構成図のようにテレビの左右方向移動は実施１同様に押しボタンスイッチにて移動させる。尚、移動した際のオーバーランを防ぐためのリミットスイッチは１１６，１１７にて安全装置の働きをする。尚、自動追尾についても実施例１同様で行うがテレビ取付板１０９側、又はテレビ本体側に赤外線センサースイッチ４０２、４０３を設置してそのスイッチにて駆動モーター１１１を駆動させテレビ取付板１０９を移動させる。
【実施形態３】
【００２４】  図面８、９で２０１は取付ける取付架体で、取付架体２０１の上面にテレビ取付板２０３、直線ガイドレール２０２、タイミングベルト用テンションプーリー２０７（４個）、駆動プーリー１個２０５を取付け、また取付架体２０１の下面に駆動モーター２０６を取付ける。駆動モーター２０６の駆動によりテレビ取付板２０３にベルト押さえ２１９により固定されているため、タイミングベルト２０８が引っ張られてガイドベアリング２０４が直線ガイドレール２０２にガイドされ、テレビ取付板２０３に取付けてあるテレビ本体２１１が移動する。また、左側に移動した際に左傾斜ガイド板２１６にガイドされてテレビ本体が右側に傾き、同様に右側に移動した際には右傾斜ガイド板２１７によってガイドされテレビ本体は左側に傾く。この動きを円滑にするためにテレビ本体の裏側の左右にテレビ傾斜ローラー２１２（２個）を設けていて、戻りはテレビ定位置戻りバネ２１３（２個）にて正面向きに戻る。
【００２５】  図面９で取付架体２０１は実施形態１の図３同様に吊り棒取付具、及び吊り棒によって天井から吊り下げられている。
【００２６】  図１３電気信号構成図のようにテレビの左右方向の移動は実施形態１と同様に行うがオーバーランを防ぐにはリミットスイッチ２１４、２１５を設けてあるため移動オーバーの安全装置の働きをする。尚、自動追尾についても実施形態１同様で行うが、テレビ取付板２０３側、又はテレビ本体側に赤外線センサースイッチ４０２、４０３を設置してそのスイッチにて駆動モーター２０６を駆動させテレビ取付板２０３を移動させる。
【実施形態４】
【００２７】  図１０、図１１で３０１は取付架体である。テレビ本体３０３（液晶１４インチ程度）をテレビ取付板３０２、ガイドシャフト用ローラー３１３（４個）を取付けた状態で手動にて吊り紐３１７，３１８を左右にそれぞれ引くとテレビ取付板３０２に吊り紐３１７，３１８が、吊り紐押さえ板３０４にて固定されているため、吊り紐を介してガイドローラー３１３（４個）、ガイドシャフト３１５にガイドされてテレビ本体は左側に引くと左側に、右側を引くと右側へそれぞれ円弧状に手動にて移動するが、吊り紐３１７，３１８の引き具合で任意の位置を決められる。また動きを円滑にする為、吊り紐用ローラー３１６（４個）及び吊り紐補助ローラー３２６（２個）を設けてある。また、テレビ取付板３０２が円滑に移動する為、及び耐重量性を考慮してガイドシャフトローラー３１３（４個）、テレビ取付板３０２の表面にローラーＡ３０８、テレビ取付板３０２の裏面にローラーＢ３２０（２ＳＥＴ）が設けてある。
【００２８】  図１１で取付架体３０１は実施形態１の図３同様に吊り棒取付具、及び吊り棒によって天井から吊り下げられている。
【符号の説明】
【００２９】１  取付架体
２  テレビ取付板
３  テレビ本体
４  ベルト押さえ
５  ローラーシャフト
６  ローラー取付駒Ａ（取付板、表）
７  ローラーピンＡ
８  ローラーＡ
９  軸受ピンＡ
１０  テレビ取付具軸受
１１  テレビ取付具
１２  テレビ取付具補助板
１３  ガイドシャフト用ローラー（４個）
１４  ガイドシャフト取付具（２個）
１５  ガイドシャフト
１６  ベルト用ローラー（４個はフリーで、駆動軸ローラーはノックピン止め）
１７  タイミングベルト
１８  リミットスイッチＡ
１９  リミットスイッチＢ
２０  駆動モーター
２１  ローラー取付駒Ｂ（取付板、裏側２個）
２２  ローラーＢ（２個）
２３  ローラーピンＢ（２個）
２４  吊り棒取付具Ａ（４個）天井用
２５  吊り棒取付具Ｂ（４個）架体用
２６  吊り棒（４個）
２７  連結棒
２８  連結ピンＡ
２９  連結ピンＢ
３０  駆動軸軸受
３１  駆動軸
３２  ベルトローラー軸（４個）【００３０】１０１  取付架体
１０２  ガイドレール右下
１０３  ガイドレール左下
１０４−１  ラック
１０４−２  ラック補助板
１０５  ガイドレール左上
１０６  ガイドレール右上
１０７  ピニオン
１０８  ピニオン軸
１０９  テレビ取付板
１１０  ガイドベアリング上（２個）
１１１  モーター（レバーシブルモーター）
１１２  テレビ本体
１１３  モーター取付板
１１４  ガイドベアリング下（２個）
１１５  吊り棒取付具（４ＳＥＴ、実例１同様）
１１６  リミットスイッチＡ
１１７  リミットスイッチＢ【００３１】２０１  取付架体
２０２  直線ガイドレール
２０３  テレビ取付板
２０４  ガイドベアリング（２個）
２０５  駆動プーリー
２０６  モーター（レバーシブルモーター）
２０７  テンションプーリー（４個）
２０８  タイミングベルト
２０９  テレビ回転治具
２１０  テレビ本体回転ピン
２１１  テレビ本体
２１２  テレビ傾斜ローラー（２個）
２１３  テレビ定位置戻りバネ（２個）
２１４  リミットスイッチＡ
２１５  リミットスイッチＢ
２１６  左傾斜ガイド板
２１７  右傾斜ガイド板
２１８  吊り棒取付具（４ＳＥＴ、実施形態１同様）
２１９  ベルト押さえ【００３２】３０１  取付架体
３０２  テレビ取付板
３０３  テレビ本体
３０４  吊り紐押さえ板
３０５  ガイドシャフト用ローラー軸（４個）
３０６  ローラー取付駒Ａ（取付板の表側）
３０７  ローラーピンＡ
３０８  ローラーＡ
３０９  軸受ピンＡ
３１０  テレビ取付具軸受
３１１  テレビ取付具
３１２  テレビ取付具補助板
３１３  ガイドシャフト用ローラー（４個）
３１４  ガイドシャフト取付具（２個）
３１５  ガイドシャフト
３１６  吊り紐用ローラー（４個）
３１７  吊り紐Ａ（右側）
３１８  吊り紐Ｂ（左側）
３１９  ローラー取付駒Ｂ（取付板の裏側  ２個）
３２０  ローラーＢ（２個）
３２１  ローラーピンＢ（２個）
３２２  吊り棒取付具Ａ（４個）天井用
３２３  吊り棒取付具Ｂ（４個）架体用
３２４  吊り棒（４個）
３２５  吊り棒ローラー軸（４個）
３２６  吊り紐補助ローラー
３２７  ベルト押さえ【００３３】４０１  赤外線発光器
４０２  赤外線センサーＳＷ左方向
４０３  赤外線センサーＳＷ右方向【００３４】５０１  メインスイッチ
５０２  押しボタンスイッチＡ左方向
５０３  押しボタンスイッチＢ右方向
【図１】
0006899513.tif 000002
【図２】
0006899513.tif 000003
【図３】
0006899513.tif 000004
【図４】
0006899513.tif 000005
【図５】
0006899513.tif 000006
【図６】
0006899513.tif 000007
【図７】
0006899513.tif 000008
【図８】
0006899513.tif 000009
【図９】
0006899513.tif 000010
【図１０】
0006899513.tif 000011
【図１１】
0006899513.tif 000012
【図１２】
0006899513.tif 000013
【図１３】
0006899513.tif 000014
【図１４】
0006899513.tif 000015
【図１５】
0006899513.tif 000016